(57)【要約】      （修正有）【課題】遠隔監視を行なっていないエレベーターにおける地震管制運転の動作確認を容易に行なえるエレベーターの地震管制運転装置の提供。【解決手段】建物に設けた地震感知器８が所定の揺れを検出すると、かご１を最寄階へ停止してエレベーターを休止状態とするエレベーターの地震管制運転装置において、エレベーターが納入される建物の出入口及びエレベーターの１階乗場１０の少なくとも一方に配設される照明装置Ｌ１，Ｌ２と、地震管制運転装置が動作すると照明装置Ｌ１，Ｌ２を点灯させる点灯装置１３とを備えた構成とした。【選択図】図１
2008019040.tif 000002
【特許請求の範囲】
【請求項１】
建物に設けた地震感知器が所定の揺れを検出すると、かごを最寄階へ停止してエレベーターを休止状態とするエレベーターの地震管制運転装置において、エレベーターが納入される建物の出入口及びエレベーターの１階乗場の少なくとも一方に配設される照明装置と、前記地震管制運転装置が動作すると前記照明装置を点灯させる点灯装置とを備えたことを特徴とするエレベーターの地震管制運転装置。
【発明の詳細な説明】
【技術分野】
【０００１】
本発明はエレベーターの地震管制運転装置に係り、特に、エレベーター地震管制運転装置の動作有無の確認に好適なエレベーターの地震管制運転装置に関する。
【背景技術】
【０００２】
従来、地震管制運転によって休止状態となったエレベーターの復旧、未復旧を確認するには、特開平６−１９１７５５号公報にエレベーターの異常発生を遠隔的に監視するためにエレベーターに設けた端末装置が、地震管制運転動作信号を取り込み、通信回線を介して外部通話機からの通話信号が端末装置に入力されたとき、外部通話機に対して通報装置を介して所定のメッセージを通報する技術がある。（特許文献１参照。）。
【特許文献１】特開平６−１９１７５５号公報（段落番号０００６〜段落番号０００８、図１、図２）
【発明の開示】
【発明が解決しようとする課題】
【０００３】
上記従来技術は、地震によってエレベーターが地震管制運転となったものを確認するには、遠隔監視を行っているエレベーターが対象となっているため。遠隔監視を行う端末装置が付いていないエレベーターは、地震管制運転の復旧作業を行う際、建物に入って１階のエレベーター乗場へ行き、エレベーターが地震管制で止まっているかの確認を行わなければならないため、広域に渡る地震管制運転の復旧作業に時間が掛るという問題があった。
【０００４】
本発明の目的は、遠隔監視を行っていないエレベーターにおける地震管制運転の動作確認を容易に行なえるエレベーターの地震管制運転装置を提供することにある。
【課題を解決するための手段】
【０００５】
上記目的を達成するために、本発明は、建物に設けた地震感知器が所定の揺れを検出すると、かごを最寄階へ停止してエレベーターを休止状態とする地震管制運転装置において、エレベーターが納入される建物の出入口及びエレベーターの１階乗場の少なくとも一方に配設される照明装置と、前記地震管制運転装置が動作すると前記照明装置を点灯させる点灯装置とを備えたものである。
【発明の効果】
【０００６】
本発明によれば、遠隔監視を行っていないエレベーターは地震管制運転装置が動作すると建物の出入口やエレベーターの１階乗場に設けた照明装置の点灯によって、当該エレベーターの地震管制運転の動作の有無が確認できるので、地震管制運転の復旧作業が効率よく行える。
【発明を実施するための最良の形態】
【０００７】
以下、本発明を実施するための最良の形態を図１、図２を用いて説明する。
【０００８】
図１は本発明の一実施形態を示すエレベーターの地震管制運転の構成図で、図２は本発明の一実施形態における照明装置の設置場所を示す建物を斜視図である。
【０００９】
図において、エレベーターのかごを１を運転させる制御装置を収納したエレベーター制御盤２は機械室３に設置され、かご１及び釣合い錘４はと主ロープ５で接続され、主ロープ５が巻き掛けられる図示しない巻上機の回転によって、昇降路６をそれぞれ上下に移動する。  
また、昇降路６の底部であるピット６Ａには、検出した地震の揺れが所定値以上のとき信号を複数の芯線で構成される昇降路ケーブル７を介してエレベーター制御盤２の制御回路に地震管制運転の指令信号を出力する地震計８や、釣合い錘４の直下に緩衝機９等が設置されている。
【００１０】
また、エレベーターの１階乗場１０の上方には照明装置Ｌ１が配設され、またエレベーターが納入されるビル１１の出入口１２には照明装置Ｌ２が配設され、エレベーター制御盤２の制御装置内には、照明装置Ｌ１，Ｌ２を点灯する点灯装置である地震管制運転動作確認回路１３が組み込まれている。
【００１１】
この地震管制運転動作確認回路１３は、電源Ｐ５−ＧＮ間に地震計８が地震管制運転の指令信号を出力すると付勢し、管制運転の動作中付勢状態を保持する図示しないリレーの常開接点である管制運転動作接点８ａと、常開接点Ａａを有する管制運転検出リレーＡとが直列接続されている。
【００１２】
また、電源Ｐ５−ＧＮ間に常開接点Ａａと照明装置Ｌ１が直列接続され、照明装置Ｌ１と並列に照明装置Ｌ２が接続されている。
【００１３】
次に、このように構成したエレベーターの地震管制運転の動作の説明を行なう。
【００１４】
今、地震が発生し、地震計８が地震管制運転の指令信号を出力すると、地震管制運転が動作し、エレベーターのかご１は最寄階である例えば３階１４へ停止し、所定時間後ドアを閉じて休止状態となる。
【００１５】
また、管制運転動作接点８ａの閉成によって、Ｐ−管制運転動作接点８ａ−管制運転検出リレーＡ−ＧＮの回路が形成され、管制運転検出リレーＡが付勢し、Ｐ−常開接点Ａａ−照明装置Ｌ１−ＧＮ及びＰ−常開接点Ａａ−照明装置Ｌ２−ＧＮの回路が形成されて、照明装置Ｌ１及び照明装置Ｌ２が点灯する。
【００１６】
このように、地震管制運転が動作すると、エレベーターの１階乗場１０及びビル１１の出入口１２に設けた照明装置Ｌ１，Ｌ２が点灯し、広域災害である地震発生時にエレベーターの地震管制運転が動作しているか否かを判断するために、エレベーターの１階乗場１０に行ってエレベーターの呼びを確認しなくとも容易に判断できるとともに、復旧作業も段取り良く行なえる。
【００１７】
また、照明装置Ｌ１及び照明装置Ｌ２は、遠隔監視を実施しているエレベーター及び遠隔監視を実施していないエレベーターに関わらず、エレベーターの１階乗場１０及びビル１１の出入口１２に設けることで、遠隔監視を実施しているエレベーターは地震管制運転を遠隔で確認して現場に出向いたが、到着前に誰かが復旧済であったという重複がなくなるとともに、電話に輻輳が掛かって遠隔での確認作業や、電話による作業指示が困難になっても、復旧作業への影響は少なくてすむ。
【図面の簡単な説明】
【００１８】
【図１】本発明の一実施形態を示すエレベーターの地震管制運転の構成図である。
【図２】本発明の一実施形態における照明装置の設置場所を示す建物の斜視図である。
【符号の説明】
【００１９】
１    かご
２    エレベーター制御盤
３    機械室
８    地震計
８ａ  管制運転動作接点
１０  エレベーターの１階乗場
１１  ビル
１２  出入口
１３  地震管制運転動作確認回路
Ａ    管制運転検出リレー
Ｌ１，Ｌ２  照明装置
【図１】
2008019040.tif 000003
【図２】
2008019040.tif 000004